(57)【要約】【課題】専用の治具を必要とせず、取付枠を変形させずに配線器具を取り付けることができて組み付け作業性が良好であり、配線器具を取り外しても破損せずに再利用が可能な配線器具取付枠を提供する。【解決手段】配線器具取付枠１は金属板材に形成した開口部１ａの上端縁から背面方向に張出部１ｂを折曲形成し、張出部１ｂの端部から下方に固定部１ｃを折曲形成し、固定部１ｃに螺子挿通孔１ｄを穿設し、開口部左右の左右側板部１ｅに螺子孔１ｆを形成する。配線器具２の前面部２ａを開口部１ａの背面側から挿入して段部２ｂを左右側板部１ｅの背面に当接し、配線器具２の凹部２ｃに固定部１ｃを引っ掛けて螺子挿通孔１ｄに背面方向から取付螺子３を挿通させて配線器具２に形成した螺子穴２ｄに螺合し、且つ配線器具２の左右下部に形成した貫通孔２ｅに背面方向から取付螺子４を貫通させて左右側板部１ｅの螺子孔１ｆに螺合して配線器具２を組み付ける。【選択図】図１
2006288072.tif 000002
【特許請求の範囲】
【請求項１】
前面の左右端縁部に段部を設けて略凸状に形成して成る配線器具の前面部を長方形状の金属板材の中央に形成した縦長の開口部から露出し、前記配線器具の段部を前記開口部の左右側板部背面に当接した状態で保持するようにした配線器具取付枠において、前記開口部の上端縁から背面方向に張出部を折曲形成し、該張出部の端部から下方向に固定部を折曲形成して該固定部に螺子挿通孔を穿設し、前記左右側板部の下方に螺子孔を形成して成り、前記配線器具の前面部を前記開口部に背面側から挿入して前記配線器具の段部を前記左右側板部の背面に当接し、前記配線器具の背面上端部に前記固定部を引っ掛けて該固定部の螺子挿通孔に背面方向から取付螺子を挿通させて前記配線器具に形成した螺子穴に螺合し、且つ前記配線器具の左右下部に形成した貫通孔に背面方向から取付螺子を貫通させて前記左右側板部の螺子孔に螺合して前記配線器具を組み付けることを特徴とする配線器具取付枠。
【発明の詳細な説明】
【技術分野】
【０００１】
本発明は、埋込コンセントなどの配線器具を壁面に埋込取り付けするための配線器具取付枠に関する。
【背景技術】
【０００２】
従来、埋込コンセントなどの配線器具を壁面に埋込取付するための配線器具取付枠は、図５及び図６に示すように長方形状の金属板材の中央に形成した縦長の開口部１１ａの左右端縁に固定孔１１ｂが穿設された２対の固定部１１ｃを背面方向に突設して成り、配線器具１２は前面の左右端縁部に段部１２ｂが形成され、配線器具取付枠１１の固定部１１ｂと対向する左右側面に固定孔１１ｃに挿入する凸部１２ｃを形成し、凸部１２ｃの背面側側面にはＶ字溝１２ｄを形成している。配線器具取付枠１は固定部１１ｃを外側に拡げて変形させた状態で開口部１１ａに背面側から配線器具１２の前面部１２ａを段部１２ｂが左右側板部１１ｅに当接するまで嵌め込んで前面部１２ａを露出させ、固定部１１ｃを内側に戻して配線器具１２の凸部１２ｃに嵌め合わせ、専用の治具で固定部１１ｃをＶ字溝１２ｄ部分でかしめることにより配線器具１２を配線器具取付枠１１に組み付けていた（例えば、特許文献１参照）。
【０００３】
また、図７及び図８に示す配線器具取付枠２１は、長方形状の金属板材の中央に形成した縦長の開口部２１ａの上端縁に固定孔２１ｂが穿設された固定部２１ｃを背面方向に突設し、開口部２１ａ左右の左右側板部２１ｅの下方に螺子孔２１ｆを形成して成り、配線器具２２は前面の左右端縁部に段部２２ｂが形成され、配線器具取付枠２１の固定部２１ｃと対向する上面に固定孔２１ｃに挿入する凸部２２ｃを形成し、凸部２２ｃの背面側側面にはＶ字溝２２ｄを形成し、左右下端部の下方には貫通孔２２ｅが形成されている。配線器具取付枠２１は固定部２１ｃを外側に拡げて変形させた状態で開口部２１ａに背面側から配線器具２２の前面部２２ａを段部２２ｂが左右側板部２１ｅに当接するまで嵌め込んで前面部２２ａを露出させ、固定部２１ｃを内側に戻して配線器具２２の凸部２２ｃに嵌め合わせ、専用の治具で固定部２１ｃをＶ字溝２２ｄ部分でかしめ、配線器具２２の貫通孔２２ｅに背面方向から取付螺子２４を貫通させて配線器具取付枠２１の螺子孔２１ｆに螺合することにより配線器具２２を配線器具取付枠２１に組み付けていた。
【０００４】
【特許文献１】特開平１１−２５２７３８号公報（第１，３図）
【発明の開示】
【発明が解決しようとする課題】
【０００５】
しかしながら、従来の配線器具取付枠は両方とも配線器具を開口部に嵌める際に固定部を一度拡げる必要があり、配線器具を開口部に嵌めた後に拡げた固定部を元の内側に変形させなければならないが元に戻しづらく、組み付け性が悪いという欠点があった。また、固定部をかしめるために専用の治具が必要であり、而も図７の配線器具取付枠は取付螺子を締め付けるためにプラスドライバーも必要とするので作業性が悪いという欠点があった。また、配線器具取付枠から配線器具を取り外した際に配線器具取付枠の固定部が破損しやすいので再利用できない場合があった。
【課題を解決するための手段】
【０００６】
本発明は、前面の左右端縁部に段部を設けて略凸状に形成して成る配線器具の前面部を長方形状の金属板材の中央に形成した縦長の開口部から露出し、配線器具の段部を開口部の左右側板部背面に当接した状態で保持するようにした配線器具取付枠において、開口部の上端縁から背面方向に張出部を折曲形成し、張出部の端部から下方向に固定部を折曲形成して固定部に螺子挿通孔を穿設し、左右側板部の下方に螺子孔を形成して成り、配線器具の前面部を開口部に背面側から挿入して配線器具の段部を左右側板部の背面に当接し、配線器具の背面上端部に固定部を引っ掛けて固定部の螺子挿通孔に背面方向から取付螺子を挿通させて配線器具に形成した螺子穴に螺合し、且つ配線器具の左右下部に形成した貫通孔に背面方向から取付螺子を貫通させて左右側板部の螺子孔に螺合して配線器具を組み付けることを特徴とする。
【発明の効果】
【０００７】
本発明によれば、専用の治具を必要とせず、取付枠を変形させずに配線器具を取り付けることができるので組み付け作業性が良好であり、配線器具を取り外しても破損しないので再利用が可能であるという効果がある。
【発明を実施するための最良の形態】
【０００８】
配線器具取付枠は金属板材に形成した開口部の上端縁から背面方向に張出部を折曲形成し、張出部の端部から下方に固定部を折曲形成し、固定部に螺子挿通孔を穿設し、開口部左右の左右側板部に螺子孔を形成する。配線器具の前面部を開口部の背面側から挿入して段部を左右側板部の背面に当接し、配線器具の背面上端部に固定部を引っ掛けて固定部の螺子挿通孔に背面方向から取付螺子を挿通させて配線器具に形成した螺子穴に螺合し、且つ配線器具の左右下部に形成した貫通孔に背面方向から取付螺子を貫通させて左右側板部の螺子孔に螺合して配線器具を組み付ける。
【実施例１】
【０００９】
本発明に係る配線器具取付枠の実施例１を図１〜図４の添付図面に基づいて説明する。
【００１０】
配線器具取付枠１は、略長方形状の金属板材の中央に配線器具２の前面部２ａを露出する縦長の開口部１ａが形成され、開口部１ａの上端縁から背面方向に張出部１ｂを折曲形成し、張出部１ｂの端部から下方向に固定部１ｃを折曲形成し、固定部１ｃに取付螺子３が挿通する螺子挿通孔１ｄが穿設されている。そして、開口部左右の左右側板部１ｅの下方には配線器具２を固定するための取付螺子４が螺合する螺子孔１ｆが夫々形成されている。
【００１１】
配線器具２は、樹脂製のケースの前面の左右端縁部に段部２ｂが設けられて略凸状に形成されている。ケースの背面上部には配線器具取付枠１の固定部１ｃが嵌まる凹部２ｃが形成され、凹部２ｃに配線器具取付枠１の螺子挿通孔１ｄと対向する螺子穴２ｄが形成されている。また、ケースの背面左右下部に配線器具取付枠１の螺子孔１ｆと対向する貫通孔２ｅが形成されている。尚、実施例では配線器具としてコンセントを用いているが、スイッチであっても良い。
【００１２】
配線器具の組み付け方法は、まず、配線器具２の前面部２ａ上部を配線器具取付枠１の開口部１ａに背面側から斜めに挿入して段部２ｂを配線器具取付枠１の左右側板部１ｅの背面に当接させる。そして配線器具２を上方にずらして配線器具取付枠１の固定部２ａを配線器具２の凹部２ｃに引っ掛けるとともに、配線器具２の前面部２ａを配線器具取付枠１の開口部１ａから露出させる。それから、配線器具２の上面を配線器具取付枠１の張出部１ｂに当接させると配線器具取付枠１の螺子挿通孔１ｄと配線器具２の螺子穴２ｄ及び配線器具２の貫通孔２ｅと配線器具取付枠１の螺子孔１ｆが一致するので配線器具取付枠１の螺子挿通孔１ｄに背面方向から取付螺子３を挿通させて配線器具２の螺子穴２ｄに螺合させ、また、配線器具２の貫通孔２ｅに背面方向から取付螺子４を貫通させて配線器具取付枠１の螺子孔１ｆに螺合させることにより組み付けは完了する。
【００１３】
配線器具２の組み付けが完了した配線器具取付枠１は上下側板部１ｇに形成された取付孔１ｈに螺子（図示せず）を挿通させて配線ボックス（図示せず）などに螺着固定することにより壁面に埋込取り付けされる。
【００１４】
このように、配線器具取付枠は配線器具の組み付け時に変形させないので組み立て作業性が良いし、また、配線器具を取り外しても破損することがなく、再利用が可能である。
【図面の簡単な説明】
【００１５】
【図１】本発明の配線器具取付枠と配線器具を示す斜視図である。
【図２】本発明の配線器具取付枠に配線器具を取り付ける様子を示す説明図である。
【図３】本発明の配線器具取付枠に配線器具を取り付けた状態を示す断面図である。
【図４】本発明の配線器具取付枠に配線器具を取り付けた状態を示す斜視図である。
【図５】従来の配線器具取付枠と配線器具を示す斜視図である。
【図６】図５の配線器具取付枠に配線器具を取り付けた状態を示す斜視図である。
【図７】従来の配線器具取付枠と配線器具を示す斜視図である。
【図８】図７の配線器具取付枠に配線器具を取り付けた状態を示す斜視図である。
【符号の説明】
【００１６】
１    配線器具取付枠
２    配線器具
３    取付螺子
４    取付螺子
１ａ    開口部
１ｂ    張出部
１ｃ    固定部
１ｄ    螺子挿通孔
１ｅ    左右側板部
１ｆ    螺子孔
１ｇ    上下側板部
１ｈ    取付孔
２ａ    前面部
２ｂ    段部
２ｃ    凹部
２ｄ    螺子穴
２ｅ    貫通孔
【図１】
2006288072.tif 000003
【図２】
2006288072.tif 000004
【図３】
2006288072.tif 000005
【図４】
2006288072.tif 000006
【図５】
2006288072.tif 000007
【図６】
2006288072.tif 000008
【図７】
2006288072.tif 000009
【図８】
2006288072.tif 000010